(57)【要約】      （修正有）【課題】実用的な表示パネルを提供する。【解決手段】第１基板と、その第１基板に重なる形で貼り合わされて第１基板より大きな第２基板１２Ｂと、第２基板１２Ｂにおける第１基板と重ならない部分に設けられて当該表示パネルを駆動するドライバ１４を実装させるためのドライバ実装部６０とを備え、そのドライバ実装部６０に、当該表示パネルを識別するための識別記号ＩＳを設ける。【選択図】図３
2019159240.tif 000002
【特許請求の範囲】
【請求項１】
第１基板と、その第１基板に重なる形で貼り合わされて前記第１基板より大きな第２基板とを備えた表示パネルであって、
当該表示パネルが、
前記第２基板における前記第１基板と重ならない部分に設けられ、当該表示パネルを駆動するドライバを実装させるためのドライバ実装部を備え、
そのドライバ実装部に、当該表示パネルを識別するための識別記号を設けたことを特徴とする表示パネル。
【請求項２】
前記ドライバ実装部が、金属膜を含んで構成され、
前記識別記号が、その金属膜の一部を貫通させるように取り除くことによって形成された請求項１に記載の表示パネル。
【請求項３】
前記識別記号が、複数の貫通孔を組み合わせて二次元バーコードとされた請求項２に記載の表示パネル。
【請求項４】
前記ドライバ実装部が、
前記ドライバの入力端子部と接続するためのドライバ入力用端子部と、前記ドライバの出力端子部と接続するためのドライバ出力用端子部と、それらドライバ入力用端子部とドライバ出力用端子部との間に設けられて前記ドライバから輻射されるノイズを抑えるためのグランド部とを含んで構成され、
前記識別記号が、前記グランド部に形成された請求項１から請求項３のいずれか一項に記載の表示パネル。
【請求項５】
前記グランド部が
グランド用の配線を構成するためのグランド配線用金属膜と、そのグランド配線用金属膜を覆って前記グランド配線用金属膜と導通する透明導電膜とを含んで構成され、
前記識別記号が、前記グランド配線用金属膜の一部を貫通させるように取り除くことによって形成された請求項４に記載の表示パネル。
【請求項６】
前記グランド部が
グランド用の配線を構成するためのグランド配線用金属膜と、そのグランド配線用金属膜とは別に前記識別記号を形成するための識別記号用金属膜とを含んで構成された請求項４に記載の表示パネル。
【請求項７】
前記識別記号用金属膜が、前記グランド配線用金属膜より前記第２基板側に配された請求項６に記載の表示パネル。
【発明の詳細な説明】
【技術分野】
【０００１】
本発明は、表示パネルに関し、特に、その表示パネルへの識別記号の配置に関する。
【背景技術】
【０００２】
表示パネルは、製造工程における履歴を追跡できるように、自身を識別するための記号である識別記号が配置されることが多い。しかしながら、表示パネルの狭額縁化が進み、識別記号を配置する領域が不足している。そのため、識別記号のいくつかの配置を断念せざるを得ない場合もある。そこで、下記特許文献１に記載の表示パネルは、一対の基板の間に挟まれて基板間を導通させる導通部材と平面的に重なる領域に、識別記号を設けている。
【先行技術文献】
【特許文献】
【０００３】
【特許文献１】特開２００３−２５５８５３号公報
【発明の概要】
【発明が解決しようとする課題】
【０００４】
しかしながら、上記特許文献１に記載の表示パネルは、識別記号が設けられる箇所が一対の基板間を導通させる領域であるため、当然に配線が存在し、その配線との干渉を回避するように設計する必要がある。また、一対の基板のうちの表示面側のものには、遮光部（ブラックマトリクス）が存在し、常に、その表面側とは反対側の基板からしか、識別記号を視認することができない。
【０００５】
本発明は、そのような実情に鑑みてなされたものであり、識別記号を配置するスペースを新たに確保するとともに、識別記号を比較的容易に配置可能で、その配置した識別記号を容易に視認可能とされた実用的な表示パネルを提供することを課題とする。
【課題を解決するための手段】
【０００６】
上記課題を解決するために本発明の液晶パネルは、
第１基板と、その第１基板に重なる形で貼り合わされて前記第１基板より大きな第２基板とを備えた表示パネルであって、
当該表示パネルが、
前記第２基板における前記第１基板と重ならない部分に設けられ、当該表示パネルを駆動するドライバを実装させるためのドライバ実装部を備え、
そのドライバ実装部に、当該表示パネルを識別するための識別記号を設けたことを特徴とする。
【０００７】
このような構成とされた表示パネルによれば、ドライバが実装される領域内に識別記号を配置するスペースが確保されているため、第２基板上のスペースを有効に活用することが可能である。また、例えば、ドライバを実装する前であれば、表側と裏側との両方から識別記号を視認可能な構成とすることが可能であり、ドライバを実装した後であっても、ドライバとは反対側の方向からは識別記号を視認することが可能である。さらに、表示パネルの狭額縁化がさらに進んだとしても、本発明の表示パネルによれば、識別記号を確実に配置することが可能である。なお、この構成の表示パネルにおける「識別記号」は、例えば、文字や数字で表されたもの，マーク，および二次元バーコード等、種々のものを含む。
【発明の効果】
【０００８】
本発明によれば、識別記号を配置するスペースを新たに確保するとともに、識別記号を比較的容易に配置可能で、その配置した識別記号を容易に視認可能とされた実用的な表示パネルを提供することができる。
【図面の簡単な説明】
【０００９】
【図１】本発明の第１実施例の液晶パネルの平面図である。
【図２】本発明の第１実施例の液晶パネルの断面図である。
【図３】図１に示すアレイ基板のＣＦ基板非重畳部を拡大して示す平面図である。
【図４】図１に示すアレイ基板のＣＦ基板非重畳部の断面を概略的に示す図である。
【図５】図３に示すドライバ実装部を拡大して示す断面図である。
【図６】本発明の第２実施例の液晶パネルにおけるドライバ実装部を拡大して示す断面図である。
【図７】本発明の第３実施例の液晶パネルにおけるアレイ基板のＣＦ基板非重畳部を拡大して示す平面図である。
【図８】本発明の第３実施例の液晶パネルにおけるグランド部の断面図（図７におえけるＡ−Ａ断面）である。
【発明を実施するための形態】
【００１０】
以下、本発明を実施するための形態として、本発明のいくつかの実施例を、図を参照しつつ詳しく説明する。なお、本発明は、下記の実施例に限定されるものではなく、当業者の知識に基づいて種々の変更、改良を施した種々の態様で実施することができる。
【実施例１】
【００１１】
本発明の第１実施例の液晶パネル１０は、図１に示すように、全体としては縦長の方形状（矩形状）をなしている。本液晶パネル１０の表示面は、画像が表示される表示領域（アクティブエリア）ＡＡと、表示領域ＡＡを取り囲む額縁状（枠状）をなすとともに画像が表示されない非表示領域（ノンアクティブエリア）ＮＡＡとに区分される。図１においては、一点鎖線が表示領域ＡＡの外形を表しており、その一点鎖線よりも外側の領域が非表示領域ＮＡＡとなっている。なお、各図面の一部にはＸ軸、Ｙ軸及びＺ軸を示しており、各軸方向が各図面で共通な方向となるように描かれている。液晶パネル１０における短辺方向が各図面のＸ軸方向と一致し、長辺方向が各図面のＹ軸方向と一致している。また、上下方向（表裏方向）については、図２を基準としており、同図上側を表側、同図下側を裏側と呼ぶ場合もある。
【００１２】
本液晶パネル１０は、一対の基板１２Ａ，１２Ｂを貼り合わせてなり、表側に配されるものがＣＦ基板（対向基板）１２Ａとされ、裏側に配されるものがアレイ基板（表示装置用基板、アクティブマトリクス基板）１２Ｂとされる。後に詳しく説明するが、これらＣＦ基板１２Ａおよびアレイ基板１２Ｂは、それぞれ、ほぼ透明なガラス基板上に既知のフォトリソグラフィ法などによって複数の膜が積層されたものである。アレイ基板１２Ｂは、図１に示すように、長辺方向（Ｙ軸方向）における寸法が、ＣＦ基板１２Ａより長くされており、ＣＦ基板１２Ａに対して長辺方向に突出した状態で貼り合わされている。つまり、本実施例においては、ＣＦ基板１２Ａが第１基板であり、アレイ基板１２Ｂが第２基板である。そして、アレイ基板１２ＢのＣＦ基板１２Ａとは非重畳となる部分が、ＣＦ基板非重畳部１２Ｂ１とされ、そのＣＦ基板非重畳部１２Ｂ１に、各種信号を供給するための部品としてドライバ（ＩＣチップ）１４およびフレキシブル基板１６が実装される。
【００１３】
次に、図２を参照しつつ、液晶パネル１０の内部構造について説明する。なお、内部構造に係る各種構造物は、簡略化して図示している。互いに対向状をなす一対の基板１２Ａ，１２Ｂの間には、電界印加に伴って光学特性が変化する物質である液晶分子を含む液晶層１２Ｃと、液晶層１２Ｃを封じるためのシール１２Ｄとが介設されている。シール１２Ｄは、一対の基板１２Ａ，１２Ｂの間の非表示領域ＮＡＡである外周端部に配されるとともに、その外周端部の全周にわたって延在する形で設けられており、平面視において方形の枠状（無端環状）をなしている（図１を参照）。シール１２Ｄにより一対の基板１２Ａ，１２Ｂの外周端部において液晶層１２Ｃの厚さ分のギャップ（セルギャップ）が保持される。また、図示は省略するが、表示領域ＡＡにおいて一対の基板１２Ａ，１２Ｂの間には、セルギャップを保持するためのフォトスペーサが介設されている。
【００１４】
アレイ基板１２Ｂは、ほぼ透明なガラス基板上に、ベースコート２０が形成され、そのベースコート２０上における表示領域ＡＡに、画素回路部２２、画素電極２４および共通電極２６が配され、非表示領域ＮＡＡに、周辺回路部２８および結線部３０，配線端子部３２が配されている。画素回路部２２は、詳しい図示は省略するが、走査信号を伝送するゲート配線（走査配線）と、画像信号を伝送するソース配線（信号配線）と、ゲート配線およびソース配線に接続されるスイッチング素子であるＴＦＴ（Thin Film Transistor）とを含んで構成される。ゲート配線は、ＡｇやＡｌ等の金属膜からなりＸ軸方向に沿って延在していてＹ軸方向に沿って多数本が間隔を空けて並んで配される。ソース配線は、ゲート配線に対してゲート絶縁膜３４（図５参照）を介して上層側に配される金属膜からなり、Ｙ軸方向に沿って延在していてＸ軸方向に沿って多数本が間隔を空けて並んで配される。ＴＦＴは、半導体膜からなるチャネル部などを有する既知の構成であり、画素電極２４に接続されている。ＴＦＴは、ゲート配線に伝送される走査信号に基づいて駆動され、ソース配線に伝送される画像信号を、チャネル部を介して画素電極２４に供給し、画素電極２４を所定の電位に充電する。ＴＦＴおよび画素電極２４は、ゲート配線およびソース配線により囲まれた領域に配されており、Ｘ軸方向およびＹ軸方向に沿って多数個ずつマトリクス状に並んで配されている。
【００１５】
画素電極２４および共通電極２６は、透明電極膜からなる。画素電極２４は、共通電極２６に対して透明電極膜間絶縁膜（層間絶縁膜）３６を介して上層側に配されている。共通電極２６は、全体として表示領域ＡＡと同等の大きさを有しているものの格子状に分割されており、その分割されたセグメント（複数のタッチ電極）が複数の画素電極２４と重畳するとともにドライバ１４と接続されている。共通電極２６は、少なくとも画面表示中においてはほぼ一定の基準電位が供給されるものであり、画素電極２４との間には、画素電極２４に充電された電位に基づく電位差が生じ得るものとされる。共通電極２６と画素電極２４との間の電位差に基づいて発生する電界には、アレイ基板１２Ｂの板面に沿う成分に加えて、アレイ基板１２Ｂの板面に対する法線方向の成分を含むフリンジ電界（斜め電界）が含まれる。従って、この液晶パネル１０は、フリンジ電界を利用して液晶層１２Ｃに含まれる液晶分子の配向状態を制御する、いわゆるＦＦＳ（Fringe Field Switching）モードとされている。また、共通電極２６は、画面非表示中には位置入力に伴う静電容量の変化を検出する電極の役割を果たし、その電極が接続されたドライバ１４により静電容量の変化を演算することで、表示領域ＡＡにおける入力位置を特定するインセルタッチパネル機能を有する。
【００１６】
共通電極２６を構成する複数のタッチ電極には、アレイ基板１２Ｂに設けられた複数のタッチ配線（位置検出配線）３８が選択的に接続されている。タッチ配線３８は、アレイ基板１２Ｂにおいてソース配線に重畳し且つ並行する形でＹ軸方向に沿って延在しており、Ｙ軸方向に沿って並ぶ複数のタッチ電極のうちの特定のタッチ電極に対して選択的に接続されている。さらにタッチ配線３８は、ドライバ１４と接続されている。
【００１７】
周辺回路部２８は、ゲート配線やソース配線などと同じ金属膜からなる配線やチャネル部と同じ半導体膜からなるＴＦＴなどの回路素子などから構成される。周辺回路部２８は、表示領域ＡＡを四方からほぼ全周にわたって取り囲む配置とされる。また、周辺回路部２８は、図２に示すように、非表示領域ＮＡＡにおいてシール１２Ｄよりも内寄り（表示領域ＡＡの近く）に配されており、シール１２Ｄとは平面視において非重畳の配置とされる。なお、周辺回路部２８は、アレイ基板１２Ｂの非表示領域ＮＡＡに設けられた図示しない接続配線によってそれぞれドライバ１４に接続されている。
【００１８】
結線部３０は、周辺回路部に含まれる配線やソース配線などを、別の層の金属膜からなる接続配線に継ぎかえている。結線部３０には、各金属膜間に介在する各絶縁膜を開口させることで配線同士を結線するためのコンタクトホール（図示省略）が設けられている。結線部３０は、非表示領域ＮＡＡのうち、周辺回路部２８よりも外寄りに配されている。結線部３０は、大部分がシール１２Ｄと平面視において重畳する配置とされる。なお、配線端子部３２は、アレイ基板１２ＢのＣＦ基板非重畳部１２Ｂ１に配され、後に詳しく説明するが、ドライバ１４およびフレキシブル基板１６と接続するための複数の端子や配線が形成されている。
【００１９】
アレイ基板１２Ｂにおける画素回路部２２、周辺回路部２８および結線部３０の上層側には、第１平坦化膜４０ａおよび第２平坦化膜４０ｂが設けられている。第１平坦化膜４０ａおよび第２平坦化膜４０ｂは、アレイ基板１２Ｂにおいてシール１２Ｄの内側の全範囲にわたって概ねベタ状に設けられている。第１平坦化膜４０ａおよび第２平坦化膜４０ｂは、例えばアクリル樹脂（例えばＰＭＭＡ等）等の有機材料からなり、自身よりも下層側に生じた段差を平坦化するのに機能する。第１平坦化膜４０ａは、画素回路部２２、周辺回路部２８および結線部３０をすぐ上層側から覆っている。そして、第１平坦化膜４０ａの上層側には、先に説明したタッチ配線３８が配されている。第２平坦化膜４０ｂは、そのタッチ配線３８の上層側で、先に説明した共通電極２６の下層側に設けられている。ちなみに、第１平坦化膜４０ａおよび第２平坦化膜４０ｂには、表示領域ＡＡにおいて画素電極２４などを画素回路部２２に接続するためのコンタクトホール（図示省略）が開口形成されている。
【００２０】
次に、ＣＦ基板１２Ａの内部構造について説明する。ＣＦ基板１２Ａは、ほぼ透明なガラス基板上に、ベースコート４２が形成され、そのベースコート４２上における表示領域ＡＡに、各画素電極２４と重畳する位置にカラーフィルタ４４が設けられている。カラーフィルタ４４は、赤色，緑色，青色を呈する３色がＸ軸方向に沿って繰り返し交互に並ぶ配置とされるとともに、それらがＹ軸方向に沿って延在することで、全体としてストライプ状に配列されている。ＣＦ基板１２Ａの内面側には、隣り合うカラーフィルタ４４間を仕切ることで混色を防ぐなどのために遮光部（ブラックマトリクス）４６が、表示領域ＡＡと非表示領域ＮＡＡとに跨る範囲にわたって設けられている。遮光部４６は、表示領域ＡＡではゲート配線およびソース配線と重畳するよう格子状をなしているものの、非表示領域ＮＡＡではベタ状をなしている。カラーフィルタ４４および遮光部４６の上層側には、オーバーコート膜（対向側絶縁膜）４８が形成される。オーバーコート膜４８は、ＣＦ基板１２Ａにおいてシール１２Ｄの内側の全範囲にわたって概ねベタ状に設けられている。オーバーコート膜４８は、平坦化膜４０ａ，４０ｂと同様に、例えばアクリル樹脂（例えばＰＭＭＡ等）等の有機材料からなり、自身よりも下層側に生じた段差を平坦化するのに機能する。
【００２１】
一対の基板１２Ａ，１２Ｂの各々の液晶層１２Ｃに接する最内面には、液晶層１２Ｃに含まれる液晶分子を配向させるためのＣＦ側配向膜（対向側配向膜）５０Ａおよびアレイ側配向膜（配向膜）５０Ｂがそれぞれ設けられている。ＣＦ側配向膜５０Ａおよびアレイ側配向膜５０Ｂは、いずれも例えば有機材料であるポリイミドからなる。ＣＦ側配向膜５０Ａは、オーバーコート膜４８の上層側に配されており、少なくとも表示領域ＡＡにおいてオーバーコート膜４８を全域にわたって上層側から覆っている。また、アレイ側配向膜５０Ｂは、画素電極２４の上層側に配されており、少なくとも表示領域ＡＡにおいて画素電極２４を全域にわたって上層側から覆っている。なお、本液晶パネル１０においては、ＣＦ側配向膜５０Ａおよびアレイ側配向膜５０Ｂは、シール１２Ｄの内側のほぼ全範囲にわたってベタ状に設けられている。
【００２２】
以下に、本液晶パネル１０に接続される部材について説明する。まず、フレキシブル基板１６は、絶縁性及び可撓性を有する合成樹脂材料（例えばポリイミド系樹脂等）からなる基材を備え、その基材上に多数本の配線パターンを有している。フレキシブル基板１６は、アレイ基板１２Ｂに対してＦＯＧ（Film On Glass）実装されている。フレキシブル基板１６は、一端部がアレイ基板１２Ｂに形成されたフレキシブル基板実装部５６に、他端部が制御回路基板（図示省略）に、それぞれ接続されている。これにより、制御回路基板側から供給される入力信号を液晶パネル１０側に伝送することが可能とされている。
【００２３】
また、ドライバ１４は、内部に駆動回路を有するＬＳＩチップからなるものとされ、信号供給源である制御回路基板から供給される信号に基づいて作動することで、制御回路基板から供給される入力信号を処理して出力信号を生成し、その出力信号を本液晶パネル１０の表示部ＡＡへと出力するものとされる。このドライバ１４は、平面視で横長の方形状をなす（本液晶パネル１０の短辺に沿って長手状をなす）とともに、アレイ基板１２Ｂに対してＣＯＧ（Chip On Glass）実装されている。
【００２４】
次に、アレイ基板１１ｂの非表示部ＮＡＡに対するドライバ１４およびフレキシブル基板１６の端子接続構造について説明する。アレイ基板１２ｂの非表示部ＮＡＡのうちＣＦ基板非重畳部１２Ｂ１には、図１に示すように、そのＣＦ基板非重畳部１２Ｂ１の外周側にフレキシブル基板１３を実装するためのフレキシブル基板実装部５６と、そのフレキシブル基板実装部５６と表示領域ＡＡとの間に位置してドライバ１４を実装するためのドライバ実装部５８とが設けられている。まず、アレイ基板１２Ｂにおけるフレキシブル基板実装部５６は、フレキシブル基板１６側から入力信号や電力の供給を受ける（フレキシブル基板１６からの信号をドライバ１４側へ出力させるための）端子部であり、図３に示すように、Ｘ軸方向に沿って間隔を空けて並ぶ複数の端子５６ａからなる。
【００２５】
一方、アレイ基板１２Ｂにおけるドライバ実装部５８は、フレキシブル基板１６側からの信号をドライバ１６へ入力させるためのドライバ入力用端子部６０と、ドライバ１６からの信号を本液晶パネル１０の表示領域ＡＡへと出力させるためのドライバ出力用端子部６２とを含んで構成される。なお、ドライバ入力用端子部６０は、Ｘ軸方向に沿って間隔を空けて並ぶ複数の端子６０ａからなり、ドライバ出力用端子部６２も、Ｘ軸方向に沿って間隔を空けて並ぶ複数の端子６２ａからなる。フレキシブル基板実装部５６の一部の端子５６ａとドライバ入力用端子部６０の端子６０ａとは、フレキシブル基板実装部５６とドライバ実装部５８との間を結ぶ形で配索形成された接続配線６４によって電気的に接続されている。
【００２６】
また、ドライバ実装部５８は、さらに、ドライバ入力用端子部６０とドライバ出力用端子部６２との間に設けられて、ドライバ１４から輻射されるノイズを抑えるためのグランド部６６を含んで構成される。このグランド部６６は、ドライバ入力用端子部６０の複数の端子６０ａとドライバ出力用端子部６２の複数の端子６２ａとの間をそれらが並ぶ方向（Ｘ方向）と平行に延びるグランド用の配線であるグランド配線６６ａを主体とするものである。そのグランド配線６６ａは、図３に示すように、フレキシブル基板実装部５６の一部の端子５６ａと接続されるとともに、図示は省略するが、表示領域ＡＡ側に延び出している。
【００２７】
これに対し、フレキシブル基板１６の一端部には、図４に示すように、アレイ基板１２Ｂのフレキシブル基板実装部５６に電気的に接続される複数の端子からなるフレキシブル基板出力バンプ７０が設けられている。また、ドライバ１４には、アレイ基板１２Ｂのドライバ入力用端子部６０に電気的に接続される入力端子部であるドライバ入力バンプ７２と、アレイ基板１２Ｂのドライバ出力用端子部６２に電気的に接続される出力端子部であるドライバ出力バンプ７４とが設けられている。ドライバ１４およびフレキシブル基板１６と、アレイ基板１２Ｂとの間には、異方性導電膜（ＡＣＦ：Anisotropic Conductive Film）７６が介在する形で配されている。ＡＣＦ７６は、多数の導電性粒子７６ａと、多数の導電性粒子７６ａが、分散配合されるバインダ７６ｂとからなるものとされ、アレイ基板１２Ｂ側の各端子部５６，６０，６２と、フレキシブル基板１６およびドライバ１４側の各バンプ７０，７２，７４とが、導電性粒子７６ａを介して導通されている。
【００２８】
次に、アレイ基板１２Ｂにおけるドライバ実装部５８の構造について、図５を参照しつつ詳しく説明する。ＣＦ基板１２Ａとの重畳部の製造工程において形成されたベースコート２０と、画素回路部２２と周辺回路部２８との製造工程において形成されたゲート絶縁膜３４とが、アレイ基板１２Ｂにおけるドライバ実装部５８にも形成されている。そして、そのゲート絶縁膜３４の上層側には、ゲート配線やソース配線等と同じ材料の第１金属膜８０が配されており、その第１金属膜８０の上層側には、ゲート絶縁膜等と同じ材料からなる第１絶縁膜８２と、第２金属膜８４が配されている。その第２金属膜８４の上層側には、第２絶縁膜８６および透明導電膜８８が配されている。
【００２９】
そして、ドライバ入力用端子部６０およびドライバ出力用端子部６２の各々には、第１金属膜８０，第２金属膜８４および透明導電膜８８の両者が形成され、かつ、第１絶縁膜８２および第２絶縁膜８６が形成されておらず、第１金属膜８０，第２金属膜８４および透明導電膜８８が接続されており、それらによって、それぞれの端子６０ａ，６２ａが構成されているのである。一方、グランド部６６には、第１金属膜８０は配されておらず、第２金属膜８４のみが配されており、その第２金属膜８４によって、上述したグランド配線６６ａが形成されている。つまり、第２金属膜８４が、グランド配線用金属膜として機能するものとなっている。
【００３０】
そして、グランド部６６には、詳しく言えば、第２金属膜８４におけるグランド配線６６ａを構成する部分には、本液晶パネル１０を識別するための識別記号ＩＳが設けられている。具体的には、図３に示すように、第２金属膜８４におけるグランド配線６６ａを構成する部分には、その第２金属膜８４に複数の貫通孔を設けて一部を取り除くことによって形成されている。そして、識別記号ＩＳは、複数の貫通孔を組み合わせて二次元バーコードとされており、比較的多くの情報を持たせることができるのである。
【００３１】
以上のように構成された本液晶パネル１０は、アレイ基板１２Ｂにおけるドライバ１４が実装される領域に、識別記号ＩＳを設けたため、アレイ基板１２ＢのＣＦ基板非重畳部１２Ｂ１上のスペースを有効に活用することが可能である。なお、近年では表示パネルの狭額縁化が進んでいるが、基板上にドライバ１４が実装される場合であっても、そのドライバ１４が実装される領域に識別記号ＩＳが設けられているため、本液晶パネル１０によれば、さらに狭額縁化が進んだとしても、基板上にドライバ１４が実装される場合において、確実に識別記号を設けることが可能である。
【００３２】
また、識別記号ＩＳが、第２金属膜８４の一部を貫通させるように取り除いて形成され、かつ、図５に示したように、識別記号ＩＳが設けられたグランド配線６６ａの上層側を覆っているものが、透明導電膜８８のみで、下層側に存在するものが、第１絶縁膜８２，ゲート絶縁膜３４，ベースコート２０および透明なガラス基板と透明なもののみであるため、ドライバ１４を実装する前においては、表側と裏側との両側から、識別記号ＩＳを視認することが可能である。つまり、ドライバ１４が実装された後であっても、裏側から識別記号ＩＳを視認することが可能である。
【００３３】
さらに、本液晶パネル１０は、識別記号ＩＳが形成されたグランド配線６６ａが透明導電膜８８によって覆われているため、グランド配線６６ａからのノイズの漏れを防止するとともに、識別記号ＩＳが形成されたことで一部が欠けたグランド配線６６ａの電位を安定させることが可能である。
【実施例２】
【００３４】
第２実施例の液晶パネルを、図６を参照しつつ説明する。第２実施例の液晶パネルが備えるアレイ基板１００は、第１実施例の液晶パネル１０が備えるアレイ基板１２Ｂと、ドライバ実装部の構造が異なるとともに、識別記号ＩＳが形成される箇所が異なる。そのため、第２実施例の液晶パネルの説明は、アレイ基板１００が有するドライバ実装部１０２のみ説明することとする。また、第１実施例の液晶パネル１０と同じ構成要素については、同じ符号を用い、説明は省略するものとする。
【００３５】
第２実施例に係るドライバ実装部１０２は、第１実施例に係るドライバ実装部５８と同様に、ゲート絶縁膜３４の上層側に、第１金属膜１０４，第１絶縁膜１０６，第２金属膜１０８，第２絶縁膜１１０，透明導電膜１１２が、順に配されている。また、ドライバ実装部１０２を構成するドライバ入力用端子部１１４とドライバ出力用端子部１１６についての構造は、第１実施例と同じ構造であり、グランド部１１８の構造のみが異なっている。具体的には、本実施例においては、グランド部１１８にも、第１金属膜１０４と第２金属膜１０８の両者が形成されている。そして、グランド部１１８に形成された上層側の第２金属膜１０８によって、グランド配線１１８ａが形成されている。つまり、第２金属膜１０８が、グランド配線用金属膜として機能するものとなっている。
【００３６】
一方、グランド部１１８に形成された下層側の第１金属膜１０４には、識別記号ＩＳが、第１実施例の識別記号と同様に形成されている。つまり、本実施例においては、識別記号ＩＳが、グランド配線用金属膜とは別の金属膜に形成されているのであり、第１金属膜１０４が、識別記号用金属膜として機能するものとなっている。したがって、本実施例においては、第１金属膜１０４の上層側に第２金属膜が存在することで、裏側からのみ識別記号ＩＳを視認できることになるが、識別記号ＩＳとグランド配線１１８ａとが別の金属膜に形成されているため、そのグランド配線１１８ａの電位を安定させることが可能である。ちなみに、本実施例においても、当然に、ドライバ１４の実装後も識別記号ＩＳを裏側から視認することができる。
【実施例３】
【００３７】
第３実施例の液晶パネルを、図７および図８を参照しつつ説明する。ちなみに、図８は、図７におけるＡ−Ａ断面であり、グランド配線が延びる方向と直交する方向からの視点での断面図である。本実施例の液晶パネルは、第２実施例の液晶パネルと類似するものである。なお、本実施例の液晶パネルは、第２実施例の液晶パネルと、グランド部の構造のみ異なるため、そのグランド部１３０についてのみ説明することとする。
【００３８】
本実施例の液晶パネルにおけるグランド部１３０には、第２実施例のグランド部１１８と同様に、第１金属膜１３２と第２金属膜１３４との両者が形成されており、下層側の第１金属膜１３２に識別記号ＩＳが形成されている。ちなみに、本実施例においては、二次元バーコードに代えてロットナンバーを表す文字形状に、第１金属膜１３２の一部が取り除かれている。
【００３９】
グランド配線１３０ａを形成する第２金属膜１３４は、図７および図８に示すように、グランド配線１３０ａが延びる方向における中間部が取り除かれており、分断させられた状態となっている。その分断された部分には、その下層側に第１金属膜１３２が配されている。そして、第２金属膜１３４の分断されたそれぞれの端部と第１金属膜１３２とが重畳するように配されるとともに、その重畳する部分に形成された第１絶縁膜１３６のコンタクトホール１３８によって、第１金属膜１３２と第２金属膜１３４とが接続されている。つまり、分断されたグランド配線１３０ａが、第１金属膜１３２によって接続されているのである。
【００４０】
そのため、本実施例の液晶パネルは、識別記号ＩＳが形成された部分の上層側に第２金属膜１３４が存在しないため、裏側からだけでなく、図７に示すように、表側からでも、識別記号ＩＳを視認することが可能である。
【００４１】
なお、上記３つの実施例はＦＦＳモードの液晶パネルであったが、ＩＰＳ，ＴＮおよびＶＡいずれのモードの液晶パネルにも採用可能であり、また、有機ＥＬパネルにも採用することが可能である。また、上記３つの実施例においては、識別記号をグランド部に配置されていたが、それに限定されず、ドライバ入力用端子部やドライバ出力用端子部の一部に配置してもよく、それらグランド部，ドライバ入力用端子部およびドライバ出力用端子部の２つの部分に跨って配置してもよい。つまり、識別記号は、ドライバ実装部内であれば、どこに配置してもよい。
【符号の説明】
【００４２】
１０…液晶パネル、１２Ａ…ＣＦ基板、１２Ｂ…アレイ基板、１２Ｃ…液晶層、１４…ドライバ、５８…ドライバ実装部、６０…ドライバ入力用端子部、６２…ドライバ出力用端子部、６６…グランド部、６６ａ…グランド配線、７２…ドライバ入力バンプ、７４…ドライバ出力バンプ、７６…異方性導電膜（ＡＣＦ）、８０…第１金属膜、８４…第２金属膜〔グランド配線用金属膜，識別記号〕、８８…透明導電膜、１００…アレイ基板、１０２…ドライバ実装部、１０４…第１金属膜〔識別記号用金属膜〕、１０８…第２金属膜〔グランド配線用金属膜〕、１１２…透明導電膜、１１４…ドライバ入力端子部、１１６…ドライバ出力端子部、１１８…グランド部、１１８ａ…グランド配線、１３０…グランド部、１３２…第１金属膜〔識別記号〕、１３４…第２金属膜、１３８…コンタクトホール
【図１】
2019159240.tif 000003
【図２】
2019159240.tif 000004
【図３】
2019159240.tif 000005
【図４】
2019159240.tif 000006
【図５】
2019159240.tif 000007
【図６】
2019159240.tif 000008
【図７】
2019159240.tif 000009
【図８】
2019159240.tif 000010